(57)【要約】      （修正有）【課題】山鳥、雉等の剥製を展示するガラスケース内部においてガラスケースの機密性を維持することを可能とする。【解決手段】剥製を防虫可能とするため、ガラスケース枠の内部に突出させてコンパネ製底板１１を木台１上に接着して展示台を設け、ガラスケース底辺部チャンネル７枠の内側においてチャンネル７と底板１１の隙間を少なくして、チャンネル溝内に側面ガラス板３を押さえるバックアップ材８を入れシリコンゴムでコーキングして該シリコンシール打ち部９で側面ガラス板をチャンネル溝内に設置し、前記チャンネル枠７の四角のそれぞれに縦に設けたアングルの内側に両面接着テープ６を挟んでガラス板３を接着し、上部の横方向のアングル１２と側面のガラス板３と平面のガラス板４で両面接着テープを挟んでそれぞれで接着し、ガラス板の合わせ目にシリコンシール打ち部５で機密性を維持し湿気を内部に入り込ませない構造にして防虫する。【選択図】図２
0003147449.tif 000002
【実用新案登録請求の範囲】
【請求項１】
ガラスケースの内部の機密性を維持しまたは動物の剥製を防虫可能とするため、ガラスケースの木台上に突出させてコンパネ製の底板を接着して、釘付けした展示台をガラスケース底辺部チャンネル枠の内側に隙間を少なくして設けて、前記チャンネル枠のチャンネル溝にケース側面のガラス板を設けるためにチャンネル溝内に入れた側面のガラス板を押さえるバックアップ材を設けて、前記溝内にシリコンゴムでコーキングして、前記チャンネル枠の四角のそれぞれに縦にアングル枠を設けてそのアングル枠の内側とガラス板とを接着し、次にガラスケース上辺部の横方向のアングル枠と側面のガラス板と平面のガラス板とをそれぞれ接着し、ガラスケース内部でガラス板とガラス板の合わせ目にシリコンゴムでコーキングしてあることを特徴とする剥製用軽量ガラスケース。
【請求項２】
ガラスケース底辺部チャンネル枠、及び前記チャンネル枠の四角のそれぞれに縦に設けてあるアングル枠、及びアングル枠に設けた上辺部の横方向のアングル枠は、両面接着テープでガラス板に接着固定してあることを特徴とする請求項１に記載の剥製用軽量ガラスケース。
【請求項３】
ガラスケースの内部の機密性を維持しまたは動物の剥製を防虫可能とするため、ガラスケースの木台上に突出させてコンパネ製の底板を接着して、釘付けした展示台をガラスケース底辺部チャンネル枠の内側に隙間を約１ｍｍに少なくして設けてあることを特徴とする請求項１に記載の剥製用軽量ガラスケース。 
【考案の詳細な説明】
【技術分野】
【０００１】
本考案は、ガラスケースの内部空気の機密保持が容易な動物の剥製用軽量ガラスケースに関するものである。
【背景技術】
【０００２】
ガラスケースの中で、陳列用で使用されるガラスケースは、周囲の枠体とガラス板の接合部の機密性が十分ではなくても、埃を排除できる利点があるので、人形用として或いは模型用として木製枠にガラス板を取り付けたガラスケースが実用に供されている。
実用のガラスケースは、木製の枠体には溝が設けられてガラス板の接合部に枠体が介在して、両ガラス板の支えとなっている。その木製の枠体によって、ガラスケースの中に展示した陳列品を埃や湿気から保護するケースの形を整えガラスケースの形を維持するものである。そのガラスケースの枠体とガラス板の接合部は、従来木製枠であったが、陳列品を出来るだけよく見えるようにするため、ガラス板とガラス板が接続する枠体部分の幅を極力狭くして、ガラスによって埃を払うようにするのみで実用上十分であった。
【０００３】
しかし、山鳥、雉、その他の動物の剥製などを収納するケースに供するときには、枠体をできるだけ細くして中が良く見えて、枠体とガラス板の接触面積を出来るだけ小さくしてガラスの部分を十分に広く確保し、防虫効果を絶対必要とするため枠体とガラス板を密着してその接合部の機密性を維持する必要がある。
上記の陳列用のガラスケースの場合は、ガラスと枠体との接合部のガラスと枠体の接触面積が広く視覚を遮るので内部を良く見ることができず、又ガラスと枠体の接触部分でガラスケース内部の機密性を保てなくなるので、ケース内部の空気の流通を遮断できないという欠点があった。
【０００４】
動物の剥製を収納し展示するためのガラスケースの用途において、この欠点はガラスケース内部に展示された動物の剥製の保存に関して大きな障害である。具体的には、ガラスケース内部に入ってくる空気中に混在する湿気を遮断することが出来ず、剥製が湿気を吸収して、湿度により防虫効果が失われたり、あるいは、防虫剤の芳香が喪失されて殺虫効果が希薄になって剥製の保存上に問題があった。
【０００５】
この改善策として、ゴムパッキンを使用しガラス板と枠体の接触部分にゴムパッキンを介在する方法や、溝を設けたアルミ製型材の溝にガラス板を入れて、コーキング材で溝に固定する方法等がある。
従来の型材には溝が設けられており、この溝にガラス板をゴムパッキンやコーキング材で固定する場合は、ガラスケースの底辺部枠の底部に設けた溝に合わせて、木台に設けた金具に底辺部枠を固定するため、ガラスケースの側面に引き違いのガラス戸を設けて、剥製の入り口を開閉式にしなければならない。この開閉式のためにガラスケース内部の十分な機密性を維持できずに湿気によって防虫性能は低下していた。山鳥や雉の尾は長いためにこれらの剥製用のガラスケースの場合は、剥製の入り口が大きくならざるを得ず機密性は少なくなる。ガラスケースは、長さが長くなり重量は重くなるので、高価になるという問題があった。
【特許文献１】特開２０００−１８４９４８号公報
【特許文献２】特開２００５−１２５７２７号公報
【特許文献３】特開２００８−９３０３７号公報
【特許文献４】実用新案公開平６−６３０９５号公報
【特許文献５】実用新案公開平６-１９６６４号公報
【特許文献６】登録実用新案第３１０９２５５号公報
【考案の開示】
【考案が解決しようとする課題】
【０００６】
解決しようとする問題点は、山鳥、雉、などを展示するガラスケース内部の剥製の保存において障害となるガラスケース内部の機密性を維持できない点である。
【課題を解決するための手段】
【０００７】
本考案は、ガラスケースの内部の機密性を維持しまたは動物性の剥製を防虫可能とするため、ガラスケースの木台上にコンパネ製の底板を接着して、釘付けした底板をガラスケース底辺部アルミチャンネルの内側に隙間を１ｍｍ程度に少なくして設置し、アルミチャンネルのチャンネル溝内に入れた側面のガラス板を押さえるバックアップ材のスポンジを設けて前記溝内にシリコンゴムでコーキングしてチャンネル溝にケース側面のガラス板を設け、前記チャンネルの四角のそれぞれに縦にアングルを設けてそのアングルの内側とガラス板とを両面接着テープで接着し、次にガラスケース上部の横方向のアングルと側面のガラス板と平面のガラス板とをそれぞれ両面接着テープで接着し、ケース内部でガラス板とガラス板の合わせ目にシリコンゴムでコーキングしてあることを最も主要な特徴とする。
【考案の効果】
【０００８】
本考案のガラスケースは、ガラスケースの枠体にアルミ製のアングルとチャンネルを用いてあり軽量である。前記アルミアングルとガラス板は両面接着テープで接着され、及びガラスケース底辺部周囲のアルミチャンネル溝およびガラス板の接合部の内側にシリコンゴムでコーキングしてあるため、ガラス板同士の接合部の密着性が良くなってガラスケース内部へ湿気の流入を遮断して、剥製を湿気から守って乾燥を維持して害虫をよけられる軽量なガラスケースを提供できるという利点がある。
【考案を実施するための最良の形態】
【０００９】
ガラスケース外から進入する湿気を遮断するという目的を、両面接着テープでガラス板を枠体のアングルに密着してあり、及びガラスケース底辺部周囲のチャンネル枠を木台上に突出して取り付けた底板の周囲に隙間を少なくして被せ、溝およびガラス板の接合部の角々にはシリコンゴムでコーキングしてあるので、剥製用ガラスケースの大きさを保って軽量にすることを損なわずに実現した。
【実施例１】
【００１０】
添付図面は本考案の１実施例を示しており、図１はガラスケースの実施方法を示すB-B線断面図、図２はガラスケースの実施方法を示すA-A線断面図、図３はガラスケースの斜視図、図４は展示台上のガラスケースを外してガラスケースの使用方法を写真で示す斜視図、図５は木台上に突出させて取り付けた底板の周囲をアルミチャンネル枠で囲ってガラスケースを置いた使用方法を写真で示す斜視図、図６は山鳥の剥製をガラスケース内の展示台に入れた使用方法を写真で示す斜視図である。
【００１１】
本考案のガラスケース１０は、ガラスケースの内部の機密性を維持しまたは防虫可能とする。このため、ガラスケースの木台１上にコンパネ製の底板１１を接着して、釘付けして剥製をその上に置くための展示台を設ける。ガラスケース１０は、ガラスケース底辺部アルミチャンネル７の枠の内側に隙間を１ｍｍ程度に少なくして前記底板を突出させて設置した。アルミチャンネル７のチャンネル溝内に入れた側面のガラス板３を押さえるバックアップ材８としてスポンジを溝内のガラス板３の側面に入れて、前記溝内にシリコンゴムでコーキングして、そのシリコンゴムでコーキングしたシリコンシール打ち部９でチャンネル溝にケース側面のガラス板３を固定する。前記チャンネル７の四角のそれぞれに縦にアングル２を設けてそのアングル２の内側に沿ってガラス板３を両面接着テープ６で接着し、次にガラスケース１０の上部の横方向のアングル１２の内側に沿って側面のガラス板３と天板となる平面のガラス板４をそれぞれ両面接着テープ６で接着する。ガラスケース１０の内部で側面のガラス板３とその隣り合う側面のガラス板３、更に側面のガラス板３と天板のガラス板４の合わせ目にシリコンゴムでコーキングしたシリコンシール打ち部５を設けてガラス板同士を密着させてある。本考案のガラスケースは上記した構成からなるのでガラス板と枠体、及び展示台とガラスケースの底辺部アルミチャンネル枠の密着によりガラスケース内の機密性があることを最も主要な特徴とする。
【００１２】
台木１上にコンパネ製底板１１を突出させて設けた展示台は、台木の上にコンパネ製の底板を接着剤で接着して、釘付けした。その展示台の底板１１をガラスケース底辺部アルミチャンネル枠の内側に隙間を１ｍｍ程度に少なくして設置した。台木１上に設けた底板１１をガラスケース１０のアルミチャンネル枠の内側に入れて、ガラスケースの底辺部を台木上に密着して、底板とアルミチャンネル枠の隙間を少なくし、ガラスケースが移動しないように展示台上の剥製にかぶせて置くことができる。
【００１３】
ガラスケース周囲の底辺部に設けるアルミチャンネル枠は、チャンネル溝内に側面のガラス板３を入れてそれをチャンネル溝内で押さえるためのバックアップ材８としてスポンジを入れて、前記溝内にシリコンシール打ち部９を設けてガラスケースの底辺部周囲のチャンネル枠のチャンネル溝に側面のガラス板３の端部を固定し、側面のガラス板３の上部を立てて設けた。
【００１４】
前記ガラスケース底辺部周囲のチャンネル枠の四角には、それぞれに縦にアングル２を設けて、そのアングル２の内側に沿ってアングル２とガラス板を両面接着テープで接着して、ガラス板の内側四角にはシリコンゴムをコーキングしてあるシリコンシール打ち部５を設けた。
【００１５】
上記のアルミチャンネル溝内部とガラスケース四角内部のシリコンシール打ち部５においては、図面符号５と符号９に示したように、ガラス板を四角及び底辺部チャンネル溝に密着させ密閉することにより、ガラスケース内の機密性を保持する。
【００１６】
このようなガラスケース１０の使用方法は、密閉性のある構造を採用したので、そのガラスケースの使用方法を写真に示すように木台上の展示台に被せているガラスケースを外して（図４）、展示台の上にガラスケースを被せて（図５）、展示台の上にある剥製を保護する(図６)。ガラスケースを底板で移動させず、ガラスケース内部の機密性を維持できる。この機密性によってガラスケース内の湿度を低く保ち、防虫剤の芳香が外部に出ないので防虫効果を劣化することなく、剥製を長期保存する効果がある。  
【実施例２】
【００１７】
実施例２は、本考案のガラスケースの使用方法を説明するために小型の縦型構造に製作した。
【実施例３】
【００１８】
実施例３は、本考案のガラスケースの大きさを山鳥(雄)の剥製用として長く製作してあって、その実施例の使用方法を写真で説明するための使用例である。図６により、写真に示す使用方法により説明すれば、ガラスケースを山鳥の剥製の大きさに合わせた大きさに作成し、その展示台上に剥製を置いてガラスケースを被せる使用方法で管理を良くすれば剥製を長期保存することができる。
【産業上の利用可能性】
【００１９】
ガラスケースの枠体であるアルミチャンネル及びアルミアングルとガラス板とを両面接着テープで接着し、シリコンシール打ちして容易に内部の機密性を維持することができ、チャンネルとガラス板の接着部にシリコンシール打ち部を設けることによって、動物の剥製の防虫のために不可欠な通気性のない機密性の大きいガラスケースを提供する。
【図面の簡単な説明】
【００２０】
【図１】ガラスケースの実施方法を示したB-B線断面図である。（実施例１）
【図２】ガラスケースの実施方法を示したA-A線断面図である。（実施例１）
【図３】ガラスケースの実施方法を示した斜視図である。（実施例１）
【図４】ガラスケースを小型縦型に製作し、その使用方法を写真で示した斜視図である。（実施例２）
【図５】ガラスケースを小型縦型に製作し、その使用方法を写真で示した斜視図である。（実施例２）
【図６】ガラスケースを山鳥の剥製用として大きく製作し、展示台に入れた剥製に被せて使用方法を写真で示した斜視図である。（実施例３）
【符号の説明】
【００２１】
１    木台
２，１２    アルミアングル
３    側面のガラス
４    天板のガラス
５，９    シリコンシール打ち部
６    両面接着テープ
７    アルミチャンネル
８    バックアップ材のスポンジ
１０    ガラスケース
１１    展示台用底板
【図１】
0003147449.tif 000003
【図２】
0003147449.tif 000004
【図３】
0003147449.tif 000005
【図４】
0003147449.tif 000006
【図５】
0003147449.tif 000007
【図６】
0003147449.tif 000008